(57)【要約】  空気調和機システム（１）は、複数の室内機（３Ａ，３Ｂ，３Ｃ，３Ｄ）と、複数の人感センサ（５Ａ，５Ｂ，５Ｃ，５Ｄ）と、リモートコントローラ（６）とを有する。複数の室内機（３Ａ，３Ｂ，３Ｃ，３Ｄ）の各々は、複数の人感センサ（５Ａ，５Ｂ，５Ｃ，５Ｄ）のいずれかひとつに対応しており、複数の人感センサ（５Ａ，５Ｂ，５Ｃ，５Ｄ）の各々は、複数の室内機（３Ａ，３Ｂ，３Ｃ，３Ｄ）のいずれかひとつに接続されている。複数の室内機（３Ａ，３Ｂ，３Ｃ，３Ｄ）の各々は、対応している人感センサ（５Ａ，５Ｂ，５Ｃ，５Ｄ）が検出したデータをリモートコントローラ（６）に送信する。リモートコントローラ（６）は、複数の室内機（３Ａ，３Ｂ，３Ｃ，３Ｄ）の各々が送信したデータを受信する。
2020105174.tif 000002
【特許請求の範囲】
【請求項１】
複数の室内機と、複数の人感センサと、リモートコントローラとを備え、
前記複数の室内機の各々は、前記複数の人感センサのいずれかひとつに対応しており、
前記複数の人感センサの各々は、前記複数の室内機のいずれかひとつに接続されており、
前記複数の室内機の各々は、対応している人感センサが検出したデータを前記リモートコントローラに送信し、
前記リモートコントローラは、前記複数の室内機の各々が送信したデータを受信する
空気調和機システム。
【請求項２】
前記リモートコントローラは、温度、風向及び風速の一部又は全部を制御するための信号を前記複数の室内機の一部又は全部に送信する機能を有する
請求項１に記載の空気調和機システム。
【発明の詳細な説明】
【技術分野】
【０００１】
本発明は、複数の室内機を有する空気調和機システムに関する。
【背景技術】
【０００２】
従来から、複数の室内機と、複数の室内機の各々に接続されている人感センサと、リモートコントローラとを有する空気調和機システムが知られている（例えば、特許文献１参照）。人感センサは検知範囲の温度及び人数を検知し、室内機は、人感センサが検知した温度及び人数の情報を取得し、取得した情報をもとに空気調和を行う。
【先行技術文献】
【特許文献】
【０００３】
【特許文献１】特開２０１４−１６９８４６号公報
【発明の概要】
【発明が解決しようとする課題】
【０００４】
しかしながら、従来の空気調和機システムでは、複数の室内機の各々は接続されている人感センサによって検知された温度及び人数をもとに特定の範囲の空気調和を個別に行うので、複数の室内機が設けられている部屋の全体の空気調和が適切に行われない場合がある。つまり、従来の空気調和機システムでは、複数の室内機が設けられている部屋の全体の空気調和を適切に行うために複数の人感センサによって検知された温度及び人数の情報が利用されない。部屋の全体の空気調和を適切に行うために、複数の室内機の各々に対応する人感センサによって検出されたデータをリモートコントローラに収集させる空気調和機システムが提供されることが要求されている。【０００５】
本発明は、上記に鑑みてなされたものであって、複数の室内機の各々に対応する人感センサによって検出されたデータをリモートコントローラに収集させる空気調和機システムを得ることを目的とする。
【課題を解決するための手段】
【０００６】
上述した課題を解決し、目的を達成するために、本発明に係る空気調和機システムは、複数の室内機と、複数の人感センサと、リモートコントローラとを有する。複数の室内機の各々は、複数の人感センサのいずれかひとつに対応しており、複数の人感センサの各々は、複数の室内機のいずれかひとつに接続されている。複数の室内機の各々は、対応している人感センサが検出したデータをリモートコントローラに送信する。リモートコントローラは、複数の室内機の各々が送信したデータを受信する。
【発明の効果】
【０００７】
本発明に係る空気調和機システムは、複数の室内機の各々に対応する人感センサによって検出されたデータをリモートコントローラに収集させることができるという効果を奏する。
【図面の簡単な説明】
【０００８】
【図１】実施の形態１に係る空気調和機システムの構成を示す図
【図２】実施の形態１に係る空気調和機システムが有するリモートコントローラの動作の手順の例を示すフローチャート
【図３】実施の形態１に係る空気調和機システムが有するリモートコントローラと第１室内機との通信の手順の例を示すシーケンス図
【図４】実施の形態１に係る空気調和機システムが有するリモートコントローラが受信したデータの例を模式的に示す図
【図５】実施の形態１に係る空気調和機システムが有するリモートコントローラの演算部が行った演算の結果の例を模式的に示す図
【図６】実施の形態２に係る空気調和機システムが有するリモートコントローラの第１の動作の手順を示すフローチャート
【図７】実施の形態２に係る空気調和機システムが有するリモートコントローラの第２の動作の手順を示すフローチャート
【図８】実施の形態２に係る空気調和機システムが有する複数の室内機の各々の風向を説明するための図
【図９】実施の形態１に係る空気調和機システムに含まれるリモートコントローラが有する通信部、演算部、受付部及び判定部の一部又は全部の機能がプロセッサによって実現される場合のプロセッサを示す図
【図１０】実施の形態１に係る空気調和機システムに含まれるリモートコントローラが有する通信部、演算部、受付部及び判定部の一部又は全部が処理回路によって実現される場合の処理回路を示す図
【発明を実施するための形態】
【０００９】
以下に、本発明の実施の形態に係る空気調和機システムを図面に基づいて詳細に説明する。なお、この実施の形態によりこの発明が限定されるものではない。
【００１０】
実施の形態１．
図１は、実施の形態１に係る空気調和機システム１の構成を示す図である。空気調和機システム１は、複数の室外機と、複数の室内機と、複数の人感センサと、リモートコントローラ６とを有する。複数の室内機の各々は、ひとつの部屋の天井に設けられている。複数の室内機の各々が設けられている位置は、複数の室内機のうちの他の室内機が設けられている位置と異なる。
【００１１】
複数の室外機の各々は複数の室内機のいずれかひとつに対応しており、複数の室内機の各々は複数の室外機のいずれかひとつに対応している。複数の室外機の各々は、対応している室内機と通信線によって接続されている。複数の室内機の各々は複数の人感センサのいずれかひとつに対応しており、複数の人感センサの各々は複数の室内機のいずれかひとつに接続されている。複数の人感センサの各々は、検知範囲の温度と、検知範囲に存在する人の数とを検知する。検知範囲の温度の例は、検知範囲の床の温度である。
【００１２】
複数の室内機の各々は、リモートコントローラ６と通信線によって接続されている。複数の室内機の各々は、対応している人感センサが検出したデータをリモートコントローラ６に送信する。リモートコントローラ６は、複数の室内機の各々が送信したデータを受信する。
【００１３】
具体的には、実施の形態１に係る空気調和機システム１は、第１室外機２Ａと、第２室外機２Ｂと、第３室外機２Ｃと、第４室外機２Ｄと、第１室内機３Ａと、第２室内機３Ｂと、第３室内機３Ｃと、第４室内機３Ｄとを有する。第１室外機２Ａ、第２室外機２Ｂ、第３室外機２Ｃ及び第４室外機２Ｄの各々は、複数の室外機の例である。第１室内機３Ａ、第２室内機３Ｂ、第３室内機３Ｃ及び第４室内機３Ｄの各々は、複数の室内機の例である。
【００１４】
第１室外機２Ａは第１室内機３Ａに対応しており、第２室外機２Ｂは第２室内機３Ｂに対応しており、第３室外機２Ｃは第３室内機３Ｃに対応していて、第４室外機２Ｄは第４室内機３Ｄに対応している。第１室外機２Ａは第１室内機３Ａと第１通信線４Ａによって接続されており、第２室外機２Ｂは第２室内機３Ｂと第２通信線４Ｂによって接続されており、第３室外機２Ｃは第３室内機３Ｃと第３通信線４Ｃによって接続されていて、第４室外機２Ｄは第４室内機３Ｄと第４通信線４Ｄによって接続されている。
【００１５】
空気調和機システム１は、第１室内機３Ａに接続されている第１人感センサ５Ａと、第２室内機３Ｂに接続されている第２人感センサ５Ｂと、第３室内機３Ｃに接続されている第３人感センサ５Ｃと、第４室内機３Ｄに接続されている第４人感センサ５Ｄとを有する。第１室内機３Ａは第１人感センサ５Ａに対応しており、第２室内機３Ｂは第２人感センサ５Ｂに対応しており、第３室内機３Ｃは第３人感センサ５Ｃに対応していて、第４室内機３Ｄは第４人感センサ５Ｄに対応している。
【００１６】
第１室内機３Ａはリモートコントローラ６と第５通信線７Ａによって接続されており、第２室内機３Ｂはリモートコントローラ６と第６通信線７Ｂによって接続されており、第３室内機３Ｃはリモートコントローラ６と第７通信線７Ｃによって接続されていて、第４室内機３Ｄはリモートコントローラ６と第８通信線７Ｄによって接続されている。第１室内機３Ａ、第２室内機３Ｂ、第３室内機３Ｃ及び第４室内機３Ｄの各々は、対応している人感センサが検出したデータを対応している人感センサから取得し、取得したデータを、通信線を介してリモートコントローラ６に送信する。
【００１７】
リモートコントローラ６は、複数の室内機の各々が送信したデータを受信する機能を有する通信部６１と、通信部６１によって受信されたデータを記憶する記憶部６２と、記憶部６２に記憶されたデータについて、つまり通信部６１によって受信されたデータについて演算を行う演算部６３とを有する。記憶部６２の例は、半導体メモリである。リモートコントローラ６は、演算部６３によって行われた演算の結果を表示する表示部６４を更に有する。表示部６４は、例えば液晶表示装置によって実現される。リモートコントローラ６は、ユーザの指示を受け付ける受付部６５と、複数の室内機の各々に人感センサが接続されているか否かを判定する機能を有する判定部６６とを更に有する。
【００１８】
図２は、実施の形態１に係る空気調和機システム１が有するリモートコントローラ６の動作の手順の例を示すフローチャートである。リモートコントローラ６の判定部６６は、第１室内機３Ａ、第２室内機３Ｂ、第３室内機３Ｃ及び第４室内機３Ｄの各々に人感センサが接続されているか否かを判定する（Ｓ１）。
【００１９】
実施の形態１では、第１室内機３Ａ、第２室内機３Ｂ、第３室内機３Ｃ及び第４室内機３Ｄの各々に人感センサが接続されているので、判定部６６は、第１室内機３Ａ、第２室内機３Ｂ、第３室内機３Ｃ及び第４室内機３Ｄの各々に人感センサが接続されていると判定する（Ｓ１でＹｅｓ）。リモートコントローラ６は、第１室内機３Ａ、第２室内機３Ｂ、第３室内機３Ｃ及び第４室内機３Ｄの各々に人感センサが接続されていないと判定すると（Ｓ１でＮｏ）、動作を終了する。
【００２０】
判定部６６が複数の室内機の各々に人感センサが接続されていると判定した場合（Ｓ１でＹｅｓ）、リモートコントローラ６の通信部６１は、第１室内機３Ａが第１人感センサ５Ａから取得したデータを第１室内機３Ａから取得する動作を開始する（Ｓ２）。図２では、「第１室内機３Ａが第１人感センサ５Ａから取得したデータを第１室内機３Ａから取得する動作を開始する」ということは、「１台目のデータの取得開始」という文言で示されている。
【００２１】
判定部６６は、ステップＳ２の動作が行われた後、通信部６１が第１室内機３Ａからのすべてのデータの取得を完了したか否かを判定する（Ｓ３）。図２では、「第１室内機３Ａからのすべてのデータの取得を完了したか否かを判定する」ということは、「１台目のデータの取得完了？」という文言で示されている。具体的には、判定部６６は、ステップＳ３において、通信部６１が温度を示す情報と人の数を示す情報とを第１室内機３Ａから取得することを完了したか否かを判定する。
【００２２】
判定部６６は、通信部６１が第１室内機３Ａからのすべてのデータの取得を完了していないと判定した場合（Ｓ３でＮｏ）、ステップＳ３の動作を再度行う。通信部６１が第１室内機３Ａからのすべてのデータの取得を完了したと判定部６６によって判定された場合（Ｓ３でＹｅｓ）、通信部６１は、第２室内機３Ｂが第２人感センサ５Ｂから取得したデータを第２室内機３Ｂから取得する動作を開始する（Ｓ４）。図２では、「第２室内機３Ｂが第２人感センサ５Ｂから取得したデータを第２室内機３Ｂから取得する動作を開始する」ということは、「２台目のデータの取得開始」という文言で示されている。
【００２３】
判定部６６は、ステップＳ４の動作が行われた後、通信部６１が第２室内機３Ｂからのすべてのデータの取得を完了したか否かを判定する（Ｓ５）。図２では、「第２室内機３Ｂからのすべてのデータの取得を完了したか否かを判定する」ということは、「２台目のデータの取得完了？」という文言で示されている。具体的には、判定部６６は、ステップＳ５において、通信部６１が温度を示す情報と人の数を示す情報とを第２室内機３Ｂから取得することを完了したか否かを判定する。
【００２４】
判定部６６は、通信部６１が第２室内機３Ｂからのすべてのデータの取得を完了していないと判定した場合（Ｓ５でＮｏ）、ステップＳ５の動作を再度行う。通信部６１が第２室内機３Ｂからのすべてのデータの取得を完了したと判定部６６によって判定された場合（Ｓ５でＹｅｓ）、通信部６１は、第３室内機３Ｃが第３人感センサ５Ｃから取得したデータを第３室内機３Ｃから取得する動作を開始する（Ｓ６）。図２では、「第３室内機３Ｃが第３人感センサ５Ｃから取得したデータを第３室内機３Ｃから取得する動作を開始する」ということは、「３台目のデータの取得開始」という文言で示されている。
【００２５】
判定部６６は、ステップＳ６の動作が行われた後、通信部６１が第３室内機３Ｃからのすべてのデータの取得を完了したか否かを判定する（Ｓ７）。図２では、「第３室内機３Ｃからのすべてのデータの取得を完了したか否かを判定する」ということは、「３台目のデータの取得完了？」という文言で示されている。具体的には、判定部６６は、ステップＳ７において、通信部６１が温度を示す情報と人の数を示す情報とを第３室内機３Ｃから取得することを完了したか否かを判定する。
【００２６】
判定部６６は、通信部６１が第３室内機３Ｃからのすべてのデータの取得を完了していないと判定した場合（Ｓ７でＮｏ）、ステップＳ７の動作を再度行う。通信部６１が第３室内機３Ｃからのすべてのデータの取得を完了したと判定部６６によって判定された場合（Ｓ７でＹｅｓ）、通信部６１は、第４室内機３Ｄが第４人感センサ５Ｄから取得したデータを第４室内機３Ｄから取得する動作を開始する（Ｓ８）。図２では、「第４室内機３Ｄが第４人感センサ５Ｄから取得したデータを第４室内機３Ｄから取得する動作を開始する」ということは、「４台目のデータの取得開始」という文言で示されている。
【００２７】
判定部６６は、ステップＳ８の動作が行われた後、通信部６１が第４室内機３Ｄからのすべてのデータの取得を完了したか否かを判定する（Ｓ９）。図２では、「第４室内機３Ｄからのすべてのデータの取得を完了したか否かを判定する」ということは、「４台目のデータの取得完了？」という文言で示されている。具体的には、判定部６６は、ステップＳ９において、通信部６１が温度を示す情報と人の数を示す情報とを第４室内機３Ｄから取得することを完了したか否かを判定する。
【００２８】
判定部６６は、通信部６１が第４室内機３Ｄからのすべてのデータの取得を完了していないと判定した場合（Ｓ９でＮｏ）、ステップＳ９の動作を再度行う。通信部６１が第４室内機３Ｄからのすべてのデータの取得を完了したと判定部６６によって判定された場合（Ｓ９でＹｅｓ）、リモートコントローラ６は動作を終了する。
【００２９】
図３は、実施の形態１に係る空気調和機システム１が有するリモートコントローラ６と第１室内機３Ａとの通信の手順の例を示すシーケンス図である。上述の通り、第１人感センサ５Ａは、検知範囲の温度と、検知範囲に存在する人の数とを検知する。検知範囲は、第１エリア、第２エリア、第３エリア及び第４エリアの４個のエリアで構成されていることを想定する。第１エリアの温度が２７℃であり、第２エリアの温度が３０℃であり、第３エリアの温度が２８℃であって、第４エリアの温度が２６℃であることを想定する。第１エリアに１人が存在し、第２エリアに１人が存在し、第３エリア及び第４エリアには人が存在していないことを想定する。
【００３０】
上述の想定において、リモートコントローラ６と第１室内機３Ａとは以下の通信を行う。リモートコントローラ６は、第１室内機３Ａに対し、第１エリアの温度情報の送信を要求する（Ｓ１１）。第１室内機３Ａは、リモートコントローラ６に対し、第１エリアの温度が２７℃であることを示す情報の応答を送信する（Ｓ１２）。リモートコントローラ６は、第１室内機３Ａに対し、第２エリアの温度情報の送信を要求する（Ｓ１３）。第１室内機３Ａは、リモートコントローラ６に対し、第２エリアの温度が３０℃であることを示す情報の応答を送信する（Ｓ１４）。
【００３１】
リモートコントローラ６は、第１室内機３Ａに対し、第３エリアの温度情報の送信を要求する（Ｓ１５）。第１室内機３Ａは、リモートコントローラ６に対し、第３エリアの温度が２８℃であることを示す情報の応答を送信する（Ｓ１６）。リモートコントローラ６は、第１室内機３Ａに対し、第４エリアの温度情報の送信を要求する（Ｓ１７）。第１室内機３Ａは、リモートコントローラ６に対し、第４エリアの温度が２６℃であることを示す情報の応答を送信する（Ｓ１８）。
【００３２】
リモートコントローラ６は、第１室内機３Ａに対し、第１エリアに存在する人の数の情報の送信を要求する（Ｓ１９）。第１室内機３Ａは、リモートコントローラ６に対し、第１エリアに１人が存在することを示す人数情報の応答を送信する（Ｓ２０）。リモートコントローラ６は、第１室内機３Ａに対し、第２エリアに存在する人の数の情報の送信を要求する（Ｓ２１）。第１室内機３Ａは、リモートコントローラ６に対し、第２エリアに１人が存在することを示す人数情報の応答を送信する（Ｓ２２）。
【００３３】
リモートコントローラ６は、第１室内機３Ａに対し、第３エリアに存在する人の数の情報の送信を要求する（Ｓ２３）。第１室内機３Ａは、リモートコントローラ６に対し、第３エリアに人が存在していないことを示す人数情報の応答を送信する（Ｓ２４）。リモートコントローラ６は、第１室内機３Ａに対し、第４エリアに存在する人の数の情報の送信を要求する（Ｓ２５）。第１室内機３Ａは、リモートコントローラ６に対し、第４エリアに人が存在していないことを示す人数情報の応答を送信する（Ｓ２６）。本願の図面では、人が存在していないことは、「０人」という文字列で示される。
【００３４】
リモートコントローラ６は、第１室内機３Ａと通信を行った後に、第２室内機３Ｂ、第３室内機３Ｃ及び第４室内機３Ｄの各々と順に、第１室内機３Ａと行った通信と同様の通信を行う。
【００３５】
図４は、実施の形態１に係る空気調和機システム１が有するリモートコントローラ６が受信したデータの例を模式的に示す図である。第１室内機３Ａが第１エリア１１、第２エリア１２、第３エリア１３及び第４エリア１４を含む第１領域１０に対して空気調和を行い、第２室内機３Ｂが第５エリア２１、第６エリア２２、第７エリア２３及び第８エリア２４を含む第２領域２０に対して空気調和を行うことを想定する。第３室内機３Ｃが第９エリア３１、第１０エリア３２、第１１エリア３３及び第１２エリア３４を含む第３領域３０に対して空気調和を行い、第４室内機３Ｄが第１３エリア４１、第１４エリア４２、第１５エリア４３及び第１６エリア４４を含む第４領域４０に対して空気調和を行うことを想定する。
【００３６】
第１領域１０について、第１エリア１１の温度が２７℃であり、第１エリア１１に１人が存在し、第２エリア１２の温度が３０℃であり、第２エリア１２に１人が存在し、第３エリア１３の温度が２８℃であり、第３エリア１３に人が存在しておらず、第４エリア１４の温度が２６℃であり、第４エリア１４に人が存在していないことを想定する。第２領域２０について、第５エリア２１の温度が３０℃であり、第５エリア２１に１人が存在し、第６エリア２２の温度が２７℃であり、第６エリア２２に１人が存在し、第７エリア２３の温度が２６℃であり、第７エリア２３に人が存在しておらず、第８エリア２４の温度が２８℃であり、第８エリア２４に人が存在していないことを想定する。
【００３７】
第３領域３０について、第９エリア３１の温度が２７℃であり、第１０エリア３２の温度が２６℃であり、第１１エリア３３の温度が２６℃であり、第１２エリア３４の温度が２６℃であって、第９エリア３１、第１０エリア３２、第１１エリア３３及び第１２エリア３４のすべてのエリアに人が存在していないことを想定する。第４領域４０について、第１３エリア４１の温度が２６℃であり、第１３エリア４１に１人が存在し、第１４エリア４２の温度が２７℃であり、第１４エリア４２に人が存在しておらず、第１５エリア４３の温度が２６℃であり、第１５エリア４３に人が存在しておらず、第１６エリア４４の温度が２６℃であり、第１６エリア４４に人が存在していないことを想定する。
【００３８】
図４は、上述の想定においてリモートコントローラ６が第１室内機３Ａ、第２室内機３Ｂ、第３室内機３Ｃ及び第４室内機３Ｄの各々から得られたデータを模式的に示している。
【００３９】
図５は、実施の形態１に係る空気調和機システム１が有するリモートコントローラ６の演算部６３が行った演算の結果の例を模式的に示す図である。演算部６３が行った演算の結果は、第１室内機３Ａ、第２室内機３Ｂ、第３室内機３Ｃ及び第４室内機３Ｄが設けられている部屋の温度の状況を示す温度マップである。温度マップは、第１領域１０、第２領域２０、第３領域３０及び第４領域４０の各々に存在する人の情報を含む。
【００４０】
演算部６３は、図４を説明する際に用いた想定をもとにして演算を行う場合、以下の結果を得る。第１エリア１１の温度が２７℃であり、第２エリア１２の温度が３０℃であり、第３エリア１３の温度が２８℃であって、第４エリア１４の温度が２６℃であるので、演算部６３は、第１領域１０の平均温度が２７．７５℃であるという結果を得る。第５エリア２１の温度が３０℃であり、第６エリア２２の温度が２７℃であり、第７エリア２３の温度が２６℃であって、第８エリア２４の温度が２８℃であるので、演算部６３は、第２領域２０の平均温度が２７．７５℃であるという結果を得る。
【００４１】
第９エリア３１の温度が２７℃であり、第１０エリア３２の温度が２６℃であり、第１１エリア３３の温度が２６℃であって、第１２エリア３４の温度が２６℃であるので、演算部６３は、第３領域３０の平均温度が２６．２５℃であるという結果を得る。第１３エリア４１の温度が２６℃であり、第１４エリア４２の温度が２７℃であり、第１５エリア４３の温度が２６℃であって、第１６エリア４４の温度が２６℃であるので、演算部６３は、第４領域４０の平均温度が２６．２５℃であるという結果を得る。
【００４２】
第１エリア１１に１人が存在し、第２エリア１２に１人が存在し、第３エリア１３及び第４エリア１４には人が存在していないので、演算部６３は、第１領域１０に２人が存在しているという結果を得る。第５エリア２１に１人が存在し、第６エリア２２に１人が存在し、第７エリア２３及び第８エリア２４には人が存在していないので、演算部６３は、第２領域２０に２人が存在しているという結果を得る。
【００４３】
第９エリア３１、第１０エリア３２、第１１エリア３３及び第１２エリア３４のいずれにも人が存在していないので、演算部６３は、第３領域３０に人が存在していないという結果を得る。第１３エリア４１に１人が存在し、第１４エリア４２、第１５エリア４３及び第１６エリア４４には人が存在していないので、演算部６３は、第４領域４０に１人が存在しているという結果を得る。
【００４４】
図５は、図４を説明する際に用いた想定において演算部６３が行った演算の結果の例を模式的に示している。リモートコントローラ６の表示部６４は、演算部６３によって得られた結果を表示する。なお、図５は、空気調和機システム１が第１室内機３Ａ、第２室内機３Ｂ、第３室内機３Ｃ及び第４室内機３Ｄの４個の室内機を有する場合において、４個の室内機が設けられている部屋が第１領域１０から第４領域４０までの４個の領域に分割されたときの４個の領域の各々の温度及び人数を示す温度マップである。空気調和機システム１が８個の室内機を有していれば、演算部６３は、部屋が８個に分割されたときの８個の領域の各々の温度及び人数を示す温度マップを得る。空気調和機システム１が１６個の室内機を有していれば、演算部６３は、部屋が１６個に分割されたときの１６個の領域の各々の温度及び人数を示す温度マップを得る。
【００４５】
上述の通り、実施の形態１に係る空気調和機システム１では、第１室内機３Ａ、第２室内機３Ｂ、第３室内機３Ｃ及び第４室内機３Ｄの各々は、対応している人感センサが検出したデータを対応している人感センサから取得し、取得したデータを、通信線を介してリモートコントローラ６に送信する。リモートコントローラ６は、第１室内機３Ａ、第２室内機３Ｂ、第３室内機３Ｃ及び第４室内機３Ｄから送信されたデータを受信する。これにより、リモートコントローラ６は、第１室内機３Ａ、第２室内機３Ｂ、第３室内機３Ｃ及び第４室内機３Ｄの各々に対応している人感センサが検出したデータを収集することができる。すなわち、空気調和機システム１は、複数の室内機の各々に対応する人感センサによって検出されたデータをリモートコントローラ６に収集させることができる。
【００４６】
リモートコントローラ６は、複数の室内機の各々が送信したデータを用いることにより、複数の室内機が設けられている部屋の全体の温度マップを作成して表示する。これにより、ユーザは、当該部屋の全体について、複数の室内機の各々に対応する人感センサによって検出されたデータをもとにした温度及び人数を把握することができる。
【００４７】
実施の形態２．
実施の形態２に係る空気調和機システムの構成は、実施の形態１に係る空気調和機システム１の構成と同じである。ただし、実施の形態２のリモートコントローラ６の機能は、実施の形態１のリモートコントローラ６の機能と異なる。実施の形態２では、実施の形態１との相違点を主に説明する。図６は、実施の形態２に係る空気調和機システム１が有するリモートコントローラ６の第１の動作の手順を示すフローチャートである。第１の動作は、設定温度の補正に関連する動作である。
【００４８】
以下の説明では、図４を説明する際に用いた想定を用いる。つまり、第１領域１０について、第１エリア１１の温度が２７℃であり、第２エリア１２の温度が３０℃であり、第３エリア１３の温度が２８℃であり、第４エリア１４の温度が２６℃であることを想定する。第２領域２０について、第５エリア２１の温度が３０℃であり、第６エリア２２の温度が２７℃であり、第７エリア２３の温度が２６℃であり、第８エリア２４の温度が２８℃であることを想定する。
【００４９】
第３領域３０について、第９エリア３１の温度が２７℃であり、第１０エリア３２の温度が２６℃であり、第１１エリア３３の温度が２６℃であり、第１２エリア３４の温度が２６℃であることを想定する。第４領域４０について、第１３エリア４１の温度が２６℃であり、第１４エリア４２の温度が２７℃であり、第１５エリア４３の温度が２６℃であり、第１６エリア４４の温度が２６℃であることを想定する。加えて、冷房運転が行われることを想定する。
【００５０】
リモートコントローラ６の演算部６３は、設定温度と各エリアの温度との差分を算出する（Ｓ３１）。設定温度はユーザによってリモートコントローラ６に設定される温度であって、受付部６５が設定温度を示す情報を受け付け、記憶部６２が設定温度を示す情報を記憶する。設定温度が２５℃であることを想定する。
【００５１】
演算部６３は、ステップＳ３１において、第１領域１０についての演算を以下の通りに行う。演算部６３は、第１エリア１１について、設定温度から第１エリア１１の温度を差し引いて第１エリア１１についての差分を算出する。具体的には、設定温度が２５℃であって第１エリア１１の温度が２７℃であるので、演算部６３は、第１エリア１１についての差分が−２℃であることを算出する。演算部６３は、第２エリア１２について、設定温度から第２エリア１２の温度を差し引いて第２エリア１２についての差分を算出する。具体的には、設定温度が２５℃であって第２エリア１２の温度が３０℃であるので、演算部６３は、第２エリア１２についての差分が−５℃であることを算出する。
【００５２】
同様に、演算部６３は、設定温度から第３エリア１３の温度を差し引いて第３エリア１３についての差分を算出し、設定温度から第４エリア１４の温度を差し引いて第４エリア１４についての差分を算出する。具体的には、設定温度が２５℃であり、第３エリア１３の温度が２８℃であって、第４エリア１４の温度が２６℃であるので、演算部６３は、第３エリア１３についての差分が−３℃であることと、第４エリア１４についての差分が−１℃であることとを算出する。
【００５３】
演算部６３は、ステップＳ３１において、第２領域２０、第３領域３０及び第４領域４０を構成する各エリアについても、設定温度から当該エリアの温度を差し引いて当該エリアについての差分を算出する。
【００５４】
判定部６６は、各領域について、ステップＳ３１において算出された差分が正の値であるエリアを判別することにより、設定温度を補正すべきエリアを決定する（Ｓ３２）。上述の想定では、４個の領域の各々についてステップＳ３１において算出されたすべてのエリアについての差分が負の値であるので、判定部６６は、設定温度を補正すべきエリアがないことを決定する（Ｓ３２）。なお、暖房運転が行われる場合、判定部６６は、各領域について、ステップＳ３１において算出された差分が負の値であるエリアを判定することにより、設定温度を補正すべきエリアを決定する（Ｓ３２）。
【００５５】
判定部６６は、各領域について、ステップＳ３２において決定された設定温度を補正すべきエリアの個数が基準の数以上か否かを判定することにより、設定温度を補正すべき領域が存在するか否かを判定する（Ｓ３３）。基準の数は、ユーザによってリモートコントローラ６に設定される数であって、受付部６５が基準の数を示す情報を受け付け、記憶部６２が基準の数を示す情報を記憶する。基準の数の例は、２である。
【００５６】
設定温度を補正すべき領域が存在すると判定部６６によって判定された場合（Ｓ３３でＹｅｓ）、通信部６１は、設定温度を補正すべき領域に設けられている室内機に対し、設定温度を特定の温度だけ下げさせるための情報を送信することにより、当該室内機に設定温度を補正させる（Ｓ３４）。当該室内機は、設定温度を補正する。これにより、設定温度が下がるので、設定温度を補正すべき領域の温度は下がる。
【００５７】
上記の設定温度を特定の温度だけ下げさせるための情報の例は、設定温度を２℃下げさせることを目的とする２３℃を示す情報である。なお、暖房運転が行われる場合、上記の設定温度を特定の温度だけ下げさせるための情報は、設定温度を特定の温度だけ上げさせるための情報に置き換えられる。設定温度を特定の温度だけ上げさせるための情報の例は、設定温度を２℃上げさせることを目的とする２７℃を示す情報である。
【００５８】
設定温度を補正すべき領域が存在しないと判定部６６によって判定された場合（Ｓ３３でＮｏ）、リモートコントローラ６の動作は終了する。上述の想定では、４個の領域の各々についてステップＳ３２において決定された設定温度を補正すべきエリアの個数は、零であって、基準の数未満である。そのため、ステップＳ３３において、判定部６６は、設定温度を補正すべき領域は存在しないと判定する。その結果、設定温度の補正は行われず、リモートコントローラ６の動作は終了する。
【００５９】
図７は、実施の形態２に係る空気調和機システム１が有するリモートコントローラ６の第２の動作の手順を示すフローチャートである。第２の動作は、風向の補正に関連する動作である。図７のステップＳ４１及びステップＳ４２は、図６のステップＳ３１及びステップＳ３２と同じである。そのため、ステップＳ４１及びステップＳ４２についての説明を省略する。
【００６０】
判定部６６は、各領域について、ステップＳ４２において決定された設定温度を補正すべきエリアの個数が基準の数以上か否かを判定することにより、風向が補正されるべき領域が存在するか否かを判定する（Ｓ４３）。基準の数は、ユーザによってリモートコントローラ６に設定される数であって、受付部６５が基準の数を示す情報を受け付け、記憶部６２が基準の数を示す情報を記憶する。基準の数の例は、２である。
【００６１】
風向が補正されるべき領域が存在すると判定部６６によって判定された場合（Ｓ４３でＹｅｓ）、通信部６１は、風向が補正されるべき領域に風を送る機能を有する室内機に対し、風向が補正されるべき領域の床に風を送らせるための情報を送信することにより、風向を補正させる（Ｓ４４）。これにより、風向が補正されるべき領域の温度は下がる。
【００６２】
図８は、実施の形態２に係る空気調和機システム１が有する複数の室内機の各々の風向を説明するための図である。図８における矢印は、風向を示している。風向が補正されるべき領域が第３領域３０及び第４領域４０であることを想定する。通信部６１は、第１室内機３Ａに対し、第１室内機３Ａが有する複数のベーンのうちの第４領域４０に風を送るためのベーンの角度を、下吹きの風を送らせる角度に制御する情報を送信する。これにより、図８に示すように、第１室内機３Ａは第４領域４０に下吹きの風を送り、第４領域４０の温度は下がる。第１室内機３Ａは、第４領域４０以外の向きには、水平に風を送る。
【００６３】
通信部６１は、第２室内機３Ｂに対し、第２室内機３Ｂが有する複数のベーンのうちの第３領域３０に風を送るためのベーンの角度を、下吹きの風を送らせる角度に制御する情報を送信する。これにより、図８に示すように、第２室内機３Ｂは第３領域３０に下吹きの風を送り、第３領域３０の温度は下がる。第２室内機３Ｂは、第３領域３０以外の向きには、水平に風を送る。
【００６４】
風向が補正されるべき領域が存在しないと判定部６６によって判定された場合（Ｓ４３でＮｏ）、リモートコントローラ６の動作は終了する。上述の想定では、４個の領域の各々について、ステップＳ４２において決定された設定温度を補正すべきエリアの個数は、零であって、基準の数未満である。そのため、ステップＳ４３において、判定部６６は、風向が補正されるべき領域は存在しないと判定する。その結果、風向の補正は行われず、リモートコントローラ６の動作は終了する。
【００６５】
なお、図７のステップＳ４４において、通信部６１は、風向が補正されるべき領域に風を送る機能を有する室内機に対し、風向が補正されるべき領域に従前より速い風を送らせるための情報を送信することにより、風向を補正させるのではなく、風速を補正させてもよい。これにより、風向が補正されるべき領域の温度は下がる。なお、通信部６１は、風向が補正されるべき領域に風を送る機能を有する室内機に対し、風向が補正されるべき領域の床に従前より速い風を送らせるための情報を送信することにより、風向を補正させると共に風速を補正させてもよい。
【００６６】
上述の通り、実施の形態２のリモートコントローラ６は、複数の室内機から受信したデータを用いて温度、風向及び風速の一部又は全部を制御するための信号を複数の室内機の一部又は全部に送信する機能を有する。これにより、リモートコントローラ６は、複数の室内機の各々に対応する人感センサによって検出されたデータを取得するのみならず、取得したデータを用いて複数の室内機が設けられている部屋の全体の空気調和を制御することができる。すなわち、実施の形態２に係る空気調和機システム１は、複数の室内機の各々に対応する人感センサによって検出されたデータをリモートコントローラ６に収集させることができると共に、リモートコントローラ６に当該部屋の全体の空気調和を制御させることができる。
【００６７】
図９は、実施の形態１に係る空気調和機システム１に含まれるリモートコントローラ６が有する通信部６１、演算部６３、受付部６５及び判定部６６の一部又は全部の機能がプロセッサ９１によって実現される場合のプロセッサ９１を示す図である。つまり、通信部６１、演算部６３、受付部６５及び判定部６６の一部又は全部の機能は、メモリ９２に格納されるプログラムを実行するプロセッサ９１によって実現されてもよい。プロセッサ９１は、ＣＰＵ（Central  Processing  Unit）、処理装置、演算装置、マイクロプロセッサ、又はＤＳＰ（Digital  Signal  Processor）である。図９には、メモリ９２も示されている。
【００６８】
通信部６１、演算部６３、受付部６５及び判定部６６の一部又は全部の機能がプロセッサ９１によって実現される場合、当該一部又は全部の機能は、プロセッサ９１と、ソフトウェア、ファームウェア、又は、ソフトウェア及びファームウェアとの組み合わせにより実現される。ソフトウェア又はファームウェアは、プログラムとして記述され、メモリ９２に格納される。プロセッサ９１は、メモリ９２に記憶されたプログラムを読み出して実行することにより、通信部６１、演算部６３、受付部６５及び判定部６６の一部又は全部の機能を実現する。
【００６９】
通信部６１、演算部６３、受付部６５及び判定部６６の一部又は全部の機能がプロセッサ９１によって実現される場合、空気調和機システム１は、通信部６１、演算部６３、受付部６５及び判定部６６の一部又は全部によって実行されるステップが結果的に実行されることになるプログラムを格納するためのメモリ９２を有する。メモリ９２に格納されるプログラムは、通信部６１、演算部６３、受付部６５及び判定部６６の一部又は全部が実行する手順又は方法をコンピュータに実行させるものであるともいえる。
【００７０】
メモリ９２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００７１】
図１０は、実施の形態１に係る空気調和機システム１に含まれるリモートコントローラ６が有する通信部６１、演算部６３、受付部６５及び判定部６６の一部又は全部が処理回路９３によって実現される場合の処理回路９３を示す図である。つまり、通信部６１、演算部６３、受付部６５及び判定部６６の一部又は全部は、処理回路９３によって実現されてもよい。
【００７２】
処理回路９３は、専用のハードウェアである。処理回路９３は、例えば、単一回路、複合回路、プログラム化されたプロセッサ、並列プログラム化されたプロセッサ、ＡＳＩＣ(Application  Specific  Integrated  Circuit)、ＦＰＧＡ（Field-Programmable  Gate  Array）、又はこれらを組み合わせたものである。
【００７３】
通信部６１、演算部６３、受付部６５及び判定部６６が有する複数の機能について、当該複数の機能の一部がソフトウェア又はファームウェアで実現され、当該複数の機能の残部が専用のハードウェアで実現されてもよい。このように、通信部６１、演算部６３、受付部６５及び判定部６６が有する複数の機能は、ハードウェア、ソフトウェア、ファームウェア、又はこれらの組み合わせによって実現することができる。
【００７４】
実施の形態２の通信部６１、演算部６３、受付部６５及び判定部６６の一部又は全部の機能は、メモリに格納されるプログラムを実行するプロセッサによって実現されてもよい。当該プロセッサはプロセッサ９１と同様のプロセッサであり、当該メモリは、メモリ９２と同様のメモリであって、実施の形態２の通信部６１、演算部６３、受付部６５及び判定部６６によって実行される一部又は全部のステップが結果的に実行されることになるプログラムを格納するためのメモリである。実施の形態２の通信部６１、演算部６３、受付部６５及び判定部６６の一部又は全部の機能は、処理回路によって実現されてもよい。当該処理回路は、処理回路９３と同様の処理回路である。
【００７５】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００７６】
１  空気調和機システム、２Ａ  第１室外機、２Ｂ  第２室外機、２Ｃ  第３室外機、２Ｄ  第４室外機、３Ａ  第１室内機、３Ｂ  第２室内機、３Ｃ  第３室内機、３Ｄ  第４室内機、４Ａ  第１通信線、４Ｂ  第２通信線、４Ｃ  第３通信線、４Ｄ  第４通信線、５Ａ  第１人感センサ、５Ｂ  第２人感センサ、５Ｃ  第３人感センサ、５Ｄ  第４人感センサ、６  リモートコントローラ、７Ａ  第５通信線、７Ｂ  第６通信線、７Ｃ  第７通信線、７Ｄ  第８通信線、６１  通信部、６２  記憶部、６３  演算部、６４  表示部、６５  受付部、６６  判定部、９１  プロセッサ、９２  メモリ、９３  処理回路。
【図１】
2020105174.tif 000003
【図２】
2020105174.tif 000004
【図３】
2020105174.tif 000005
【図４】
2020105174.tif 000006
【図５】
2020105174.tif 000007
【図６】
2020105174.tif 000008
【図７】
2020105174.tif 000009
【図８】
2020105174.tif 000010
【図９】
2020105174.tif 000011
【図１０】
2020105174.tif 000012
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
複数の室内機と、複数の人感センサと、リモートコントローラとを備え、
前記複数の室内機の各々は、前記複数の人感センサのいずれかひとつに対応しており、
前記複数の人感センサの各々は、前記複数の室内機のいずれかひとつに接続されていて、検知範囲の温度を検知し、
前記複数の室内機の各々は、対応している人感センサが検知したデータを前記リモートコントローラに送信し、
前記リモートコントローラは、
前記複数の室内機の各々が送信したデータを受信し、
前記複数の人感センサの各々の前記検知範囲において、前記検知範囲を構成する第１エリア、第２エリア、第３エリア及び第４エリアの各々について、設定温度から検知された温度を差し引いて前記設定温度と前記検知された温度との差分を算出し、
冷房運転が行われる場合、前記複数の人感センサの各々の前記検知範囲において、前記差分が正であるエリアの個数が基準の数以上であるとき、前記設定温度を特定の温度だけ下げさせるための情報を、前記複数の室内機のうちの、前記検知範囲の温度を検知する前記人感センサに対応する室内機に送信して前記室内機に前記設定温度を補正させ、
暖房運転が行われる場合、前記複数の人感センサの各々の前記検知範囲において、前記差分が負であるエリアの個数が前記基準の数以上であるとき、前記設定温度を特定の温度だけ上げさせるための情報を、前記複数の室内機のうちの、前記検知範囲の温度を検知する前記人感センサに対応する室内機に送信して前記室内機に前記設定温度を補正させる
空気調和機システム。
【請求項２】
前記リモートコントローラは、
前記冷房運転が行われる場合、前記複数の人感センサの各々の前記検知範囲において、前記差分が正であるエリアの個数が前記基準の数以上である場合、前記検知範囲の床に風を送らせるための情報を、前記複数の室内機のうちの、前記検知範囲の温度を検知する前記人感センサに対応する室内機に送信して前記室内機に風向を補正させ、
前記暖房運転が行われる場合、前記複数の人感センサの各々の前記検知範囲において、前記差分が負であるエリアの個数が前記基準の数以上である場合、前記検知範囲の床に風を送らせるための情報を、前記複数の室内機のうちの、前記検知範囲の温度を検知する前記人感センサに対応する室内機に送信して前記室内機に風向を補正させる
請求項１に記載の空気調和機システム。
【手続補正２】
【補正対象書類名】明細書
【補正対象項目名】０００６
【補正方法】変更
【補正の内容】
【０００６】
上述した課題を解決し、目的を達成するために、本発明に係る空気調和機システムは、複数の室内機と、複数の人感センサと、リモートコントローラとを有する。複数の室内機の各々は、複数の人感センサのいずれかひとつに対応しており、複数の人感センサの各々は、複数の室内機のいずれかひとつに接続されていて、検知範囲の温度を検知する。複数の室内機の各々は、対応している人感センサが検知したデータをリモートコントローラに送信する。リモートコントローラは、複数の室内機の各々が送信したデータを受信する。リモートコントローラは、複数の人感センサの各々の検知範囲において、検知範囲を構成する第１エリア、第２エリア、第３エリア及び第４エリアの各々について、設定温度から検知された温度を差し引いて設定温度と検知された温度との差分を算出する。リモートコントローラは、冷房運転が行われる場合、複数の人感センサの各々の検知範囲において、差分が正であるエリアの個数が基準の数以上であるとき、設定温度を特定の温度だけ下げさせるための情報を、複数の室内機のうちの、検知範囲の温度を検知する人感センサに対応する室内機に送信して当該室内機に設定温度を補正させる。リモートコントローラは、暖房運転が行われる場合、複数の人感センサの各々の検知範囲において、差分が負であるエリアの個数が基準の数以上であるとき、設定温度を特定の温度だけ上げさせるための情報を、複数の室内機のうちの、検知範囲の温度を検知する人感センサに対応する室内機に送信して当該室内機に設定温度を補正させる。
【国際調査報告】
2020105174.tif 000013
2020105174.tif 000014